(57)【要約】【課題】  複数の形式で記録された画像の消去において、初期選択の設定により、素早く目的の形式の画像の消去を可能とし、さらに、誤って画像を消去してしまうことを防ぐことが可能な装置を提供することを目的とする。【解決手段】  消去指示に応じて消去メニューを表示するときに、消去対象として選択された画像が第１形式のみで記録された画像の場合は、第１形式の画像を消去するための項目が消去メニューで初期選択する項目として設定されていたとしても、第１形式の画像を消去するための項目ではなく、消去をキャンセルするための項目が初期選択された消去メニューを表示するように制御する。【選択図】  図７
2019208182.tif 000002
【特許請求の範囲】
【請求項１】
記録媒体に記録されている、第１形式と第２形式の両方で記録された画像、または、前記第１形式のみで記録された画像を含む複数の画像の中から、画像を選択する選択手段と、
前記選択手段により選択された画像について、消去指示を受け付ける受付手段と、
前記消去指示に応じて、消去メニューを表示するように制御する表示制御手段と、
前記消去メニューで選択された項目に応じて、前記選択手段により選択された画像を前記記録媒体から消去する消去手段と、
前記消去指示に応じて表示される消去メニューにおいて初期選択される項目を、前記第１形式の画像および前記第２形式の画像の両方を消去するための項目、前記第１形式の画像を消去するための項目、消去をキャンセルする項目を含む複数の項目の中から設定する設定手段と、を有し、
前記表示制御手段は、前記消去指示に応じて消去メニューを表示するときに、前記選択手段により選択された画像が前記第１形式のみで記録された画像の場合は、前記設定手段により前記第１形式の画像を消去するための項目が初期選択する項目として設定されていたとしても、前記第１形式の画像を消去するための項目ではなく、消去をキャンセルするための項目が初期選択された前記消去メニューを表示するように制御することを特徴とする表示制御装置。
【請求項２】
前記表示制御手段は、前記消去指示に応じて消去メニューを表示するときに、前記設定手段により前記第１形式の画像および前記第２形式の画像の両方を消去するための項目が初期選択される項目として設定されている場合は、前記選択手段により選択された画像について全ての形式の画像を消去するための項目が初期選択された前記消去メニューを表示するように制御することを特徴とする請求項１に記載の表示制御装置。
【請求項３】
前記表示制御手段は、前記消去指示に応じて消去メニューを表示するときに、前記選択手段により選択された画像に、前記設定手段により初期選択されるとして設定された項目において消去対象とする形式の画像が含まれていない場合には、消去をキャンセルするための項目が初期選択された前記消去メニューを表示するように制御することを特徴とする請求項１に記載の表示制御装置。
【請求項４】
前記表示制御手段は、前記消去指示に応じて消去メニューを表示するときに、前記選択手段により前記第２形式のみで記録された画像が選択されおり、前記設定手段により前記第１形式の画像を消去するための項目が初期選択される項目として設定されている場合は、消去をキャンセルするための項目が初期選択された前記消去メニューを表示するように制御することを特徴とする請求項１に記載の表示制御装置。
【請求項５】
前記表示制御手段は、前記選択手段により選択された画像に応じて、第１形式の画像と第２形式の画像の両方を消去するための項目、前記第１形式の画像を消去するための項目、前記第２形式の画像を消去するための項目、消去をキャンセルするための項目を含む第１の消去メニューと、前記選択手段により選択された画像を消去するための項目、消去をキャンセルするための項目を含む第２の消去メニューのいずれの消去メニューを表示させるかを切り換えることを特徴とする請求項１に記載の表示制御装置。
【請求項６】
前記設定手段は、前記消去指示に応じて表示される消去メニューにおいて初期選択される項目を、前記第１形式の画像および前記第２形式の画像の両方を消去するための項目、前記第１形式の画像を消去するための項目、前記第２形式の画像を消去するための項目、消去をキャンセルする項目の中から設定することを特徴とする請求項１に記載の表示制御装置。
【請求項７】
前記表示制御手段は、前記消去指示に応じて消去メニューを表示するときに、前記選択手段により前記第２形式のみで記録された画像が選択されている場合は、前記設定手段により前記第２形式の画像を消去するための項目が初期選択する項目として設定されていたとしても、前記第２形式の画像を消去するための項目ではなく、消去をキャンセルするための項目が初期選択された前記消去メニューを表示するように制御することを特徴とする請求項６に記載の表示制御装置。
【請求項８】
前記消去手段は、消去メニューにおいて選択された項目を確定する操作を受け付けたことに応じて、選択された項目に応じた画像を前記記録媒体から消去することを特徴とする請求項１に記載の表示制御装置。
【請求項９】
前記選択手段により前記第１形式と前記第２形式の両方で記録された画像が選択されているときに、前記消去メニューにおいて前記第１形式の画像を消去するための項目が選択された場合に、前記消去手段は、前記第１形式の画像のみを消去し前記第２形式の画像は消去しないことを特徴とする請求項８に記載の表示制御装置。
【請求項１０】
前記選択手段により前記第１形式と前記第２形式の両方で記録された画像が選択されているときに、前記消去メニューにおいて前記第１形式の画像および前記第２形式の画像の両方を消去するための項目が選択された場合に、前記消去手段は、前記第１形式の画像および前記第２形式の画像の両方を消去することを特徴とする請求項８に記載の表示制御装置。
【請求項１１】
前記第１形式の画像は、ＲＡＷ画像とＪＰＥＧ画像のうちの一方であり、前記第２形式の画像は、ＲＡＷ画像とＪＰＥＧ画像のうちの他方であることを特徴とする請求項１に記載の表示制御装置。
【請求項１２】
前記第１形式と前記第２形式の両方で記録された画像は、前記第１の形式の画像と前記第２の形式の画像とが、それぞれ異なる画像ファイルとして前記記録媒体に記録されていることを特徴とする請求項１に記載の表示制御装置。
【請求項１３】
前記第１形式と前記第２形式の両方で記録された画像は、１つの画像ファイル内に、前記第１の形式の画像と前記第２の形式の画像とが記録されていることを特徴とする請求項１に記載の表示制御装置。
【請求項１４】
記録媒体に記録されている、第１形式と第２形式の両方で記録された画像、または、前記第１形式のみで記録された画像を含む複数の画像の中から、画像を選択する選択工程と、
消去指示を受け付ける受付工程と、
前記消去指示に応じて、消去メニューを表示するように制御する表示制御工程と、
前記消去メニューで選択された項目に応じて、前記選択工程で選択された画像を前記記録媒体から消去する消去工程と、
前記消去指示に応じて表示される消去メニューにおいて初期選択される項目を、前記第１形式の画像および前記第２形式の画像の両方を消去するための項目、前記第１形式の画像を消去するための項目、消去をキャンセルする項目を含む複数の項目の中から設定する設定工程と、を有し、
前記表示制御工程では、前記消去指示に応じて消去メニューを表示するときに、前記選択工程で選択された画像が前記第１形式のみで記録された画像の場合は、前記設定工程で前記第１形式の画像を消去するための項目が初期選択する項目として設定されていたとしても、前記第１形式の画像を消去するための項目ではなく、消去をキャンセルするための項目が初期選択された前記消去メニューを表示するように制御することを特徴とする表示制御装置の制御方法。
【請求項１５】
コンピュータを、請求項１ないし１３のいずれか１項に記載の表示制御装置の各手段として機能させるためのプログラム。
【発明の詳細な説明】
【技術分野】
【０００１】
本発明は、画像消去のため消去メニューを表示するように制御する表示制御装置に関する。
【背景技術】
【０００２】
近年、カメラなどを含む撮像装置では連写撮影の処理速度向上により一度の撮影で大量に画像が生成されるようになった。また、メモリカードなどのメディアの大容量化に伴い、撮影画像を大量にメディアに保存しておくことが可能となった。
【０００３】
メディア内の大量画像には失敗画像や不要な画像も多く存在するため、ユーザは不要な画像をメディアから破棄する（画像の消去）操作を行うのが一般的である。画像の消去を行うためには、ユーザは撮像装置において画像を閲覧するモード（再生モード）に切り替えをしてから消去したい画像を選択する。そして、消去指示を行うための操作ボタン（消去ボタン）を押し、消去させるか否かの確認画面（消去メニュー）が表示されたところで決定操作（たとえば前記確認画面で“消去する”を選択する）を行うことになる。撮像装置の場合、消去メニューでは、“消去しない”が初期フォーカスされていることが多く、“消去する”を選択するために選択肢の移動操作が必要となり、余計な操作手番が必要になる。この操作を画像一枚一枚に対して行うのは時間的にも操作回数的にも多くなってしまうためあまり好ましくない。これを解決するために、あらかじめ消去メニューの初期フォーカスを“消去する”側に設定しておく方法がある。この設定をしておくと消去ボタンを押してメニューが表示された時は“消去する”にフォーカスが当たっているため、消去ボタンの押下の後に、決定ボタンを一度押すだけで画像を消去することが可能となる。一方で、近年の撮像装置においては、一度の撮影操作でＪＰＥＧ画像データとＪＰＥＧ圧縮前のＲＡＷ画像データを同時にメディアに保存させるといった操作が可能となっている。つまり、同一シーンに対して異なるフォーマット（形式）の画像を複数保存することが可能である。また、これらの撮像装置では再生モードで画像を閲覧する際には、同一シーンの画像であるために、一方の画像だけを表示する（ＲＡＷ＋ＪＰＥＧ画像であればＪＰＲＧ画像のみを表示する）のが一般的である。ここで、メディア容量を節約するために片方のフォーマットの画像だけを消去したいといったユースケースは考えられる。その際、消去ボタンを押下した場合は、“片方のフォーマットの画像だけ消去する”、または“両方のフォーマットの画像を消去する”といった複数の選択肢を設けたメニューを表示させる。そして、そのメニューで決定操作をさせることで目的のフォーマットの画像を消去させるという方法が知られている（特許文献１）。
【先行技術文献】
【特許文献】
【０００４】
【特許文献１】特開２００５−８００５０号公報
【発明の概要】
【発明が解決しようとする課題】
【０００５】
しかし、特許文献１に記載の方法の場合は、消去メニューにおける選択肢の移動操作の手番が多くなってしまうため、操作性が良いとは言い難い。これを解決させるため、あらかじめ初期フォーカスとして選択する選択肢を設定させるという方法もある。複数のフォーマットで記録された画像と、単一のフォーマットでのみ記録された画像とで、同様の消去メニューを表示させたり、同様に初期フォーカスを決定してしまうと、ユーザの意図しない画像の消去が行われてしまう可能性がある。
【０００６】
そこで本発明は、複数の形式で記録された画像の消去において、初期選択の設定により、素早く目的の形式の画像の消去を可能とし、さらに、誤って画像を消去してしまうことを防ぐことが可能な装置を提供することを目的とする。
【課題を解決するための手段】
【０００７】
そこで、本発明の表示制御装置は、
記録媒体に記録されている、第１形式と第２形式の両方で記録された画像、または、第１形式のみで記録された画像を含む複数の画像の中から、画像を選択する選択手段と、選択手段により選択された画像について、消去指示を受け付ける受付手段と、消去指示に応じて、消去メニューを表示するように制御する表示制御手段と、消去メニューで選択された項目に応じて、選択手段により選択された画像を記録媒体から消去する消去手段と、消去指示に応じて表示される消去メニューにおいて初期選択される項目を、第１形式の画像および第２形式の画像の両方を消去するための項目、第１形式の画像を消去するための項目、消去をキャンセルする項目を含む複数の項目の中から設定する設定手段と、を有し、表示制御手段は、消去指示に応じて消去メニューを表示するときに、選択手段により選択された画像が第１形式のみで記録された画像の場合は、設定手段により第１形式の画像を消去するための項目が初期選択する項目として設定されていたとしても、第１形式の画像を消去するための項目ではなく、消去をキャンセルするための項目が初期選択された消去メニューを表示するように制御することを特徴とする。
【発明の効果】
【０００８】
本発明によれば、複数の形式で記録された画像の消去において、初期選択の設定により、素早く目的の形式の画像の消去を可能とし、さらに、誤って画像を消去してしまうことを防ぐことが可能となる。
【図面の簡単な説明】
【０００９】
【図１】デジタルカメラ１００の外観の一例を示す図である。
【図２】デジタルカメラ１００のハードウェア構成の一例を示す図である。
【図３】デジタルカメラ１００の起動から終了までの基本フローを示した図である。
【図４】表示部２８への画像の表示例、消去メニューの表示例を示した図である。
【図５】再生モードでの処理のフローチャートである。
【図６】消去メニューの初期フォーカス設定画面６００の例を示した図である。
【図７】初期フォーカス決定処理のフローチャートである。
【図８】消去メニュー表示処理のフローチャートである。
【図９】画像消去処理のフローチャートである。
【発明を実施するための形態】
【００１０】
以下、図面を参照して本発明の好適な実施形態を説明する。
【００１１】
図１に本発明を適用可能な装置の一例としてのデジタルカメラの外観図を示す。表示部２８は画像や各種情報を表示する表示部である。シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり、記録や再生が可能となる。蓋２０３は記録媒体スロット２０１の蓋である。図においては、蓋２０２を開けてスロット２０１から記録媒体２００の一部を取り出して露出させた状態を示している。
【００１２】
図２は、本実施形態によるデジタルカメラ１００の構成例を示すブロック図である。
【００１３】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１７】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１８】
システム制御部５０は、少なくとも１つのプロセッサーを有する制御部であり、デジタルカメラ１００全体を制御する。前述した不揮発性メモリ５６に記録されたプログラムを読み出してプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１９】
システムタイマー５３は各種制御に用いる時間や、内蔵された時計の時間を計測する計時部である。
【００２０】
モード切替スイッチ６０、シャッターボタン６１、操作部７０はシステム制御部５０に各種の動作指示を入力するための操作手段である。
【００２１】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２２】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタン１４５とを用いて直感的に各種設定を行うことができる。４方向ボタンは上ボタン１４１、下ボタン１４２、左ボタン１４３、右ボタン１４４を含んでいる。
【００２５】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２８】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２９】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサやジャイロセンサなどを用いることができる。
【００３０】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザインターフェース）を構成することができる。システム制御部５０はタッチパネル７０ａへの以下の操作、あるいは状態を検出できる。
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００３１】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３２】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのようなタッチ操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式があるが、いずれの方式でもよい。
【００３３】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３４】
図３はデジタルカメラの起動から終了までの基本的な流れを示したフロー図である。
【００３５】
カメラ起動後はＳ３０１へ進む。Ｓ３０１ではモード切り替えスイッチ６０の位置により撮影モードかどうかの判定をする。撮影モードであると判定された場合はＳ３０３へ進み、撮影モードではないと判定された場合はＳ３０２に進む。Ｓ３０２ではモード切換えスイッチ６０の位置により再生モードであるかの判定を行う。再生モードであると判定された場合はＳ３０４へ進み、再生モードではないと判定された場合はＳ３０５に進む。Ｓ３０３では撮影モードの処理を行う。ここでいう撮影モードの処理とは、静止画撮影や、動画撮影などが含まれる。Ｓ３０４では再生モードの処理を行う。再生モード処理では、主に撮影した静止画や動画を閲覧したり、消去したり、編集したりする。再生モード処理については、後に詳細を説明する。Ｓ３０５ではその他の処理を行う。ここでいうその他の処理とは、現在時刻を表示するだけの時計表示モードでの処理、各種メニュー設定処理などがあげられる。それぞれのモード処理が終了するとＳ３０６へ進み、カメラ動作をシャットダウンさせるか否かの判定を行う。シャットダウンさせると判定された場合はカメラ動作を終了し、シャットダウンしない場合はＳ３０１へ進む。
【００３６】
次に、再生モードの処理について詳細に述べる。
【００３７】
図５は、本実施形態における再生モードでの処理のフローチャートである。このフローチャートにおける各処理は、システム制御部５０が不揮発性メモリ５６に格納されたプログラムを読み出してメモリ３２に展開して実行することにより実現される。
【００３８】
Ｓ５０１では、システム制御部５０は、記録媒体２００から画像を読み込み、読みこんだ画像を図４（ａ）、図４（ｃ）、図４（ｅ）のように、表示部２８全体に表示してＳ５０２へ進む。記録媒体２００には、撮影モードで撮影した複数の画像が記録されている。撮影モードにおいては、ＪＰＥＧ画像を記録するＪＰＥＧ記録モード、ＲＡＷ画像を記録するＲＡＷ記録モード、ＲＡＷ画像とＪＰＥＧ画像の両方を記録するＲＡＷ＋ＪＰＥＧ記録モードが選択でき、選択された記録モードに応じた画像が記録される。ＪＰＥＧ記録モードにおいては、撮影した画像データをＪＰＥＧ形式に圧縮し、ＪＰＥＧ画像ファイルとして記録する。ＲＡＷ記録モードにおいては、撮影した画像の未現像のＲＡＷ画像データを可逆圧縮してＲＡＷ画像ファイルとして記録する。ＲＡＷ＋ＪＰＥＧ記録モードでは、撮影した画像から、ＪＰＥＧ画像ファイルとＲＡＷ画像ファイルの両方を生成して記録する。なお、ＲＡＷ画像データは、現像処理を施さないと表示できないため、ＲＡＷ画像ファイルには、表示用のＪＰＥＧ画像が含まれている。従って、記録媒体２００には、ＲＡＷ画像ファイルやＪＰＥＧ画像ファイルが記録されており、ＲＡＷ画像ファイル、ＪＰＥＧ画像ファイルの中には、同じ画像に基づいて生成されたものも含まれている。同じ画像に基づいて生成されたＲＡＷ画像ファイルとＪＰＥＧ画像ファイルは、１つの画像として取り扱うために、管理情報が記録されており、再生時には一方の画像ファイルに基づいて表示が行われる。管理情報ではなく、ファイル名に共通の文字を用いるなどして、同じ画像を示していることを管理してもよい。以降、ＲＡＷ画像ファイルとＪＰＥＧ画像ファイルとが記録されている画像をＲＡＷ＋ＪＰＥＧ画像、ＲＡＷ画像ファイルのみが記録された画像をＲＡＷ画像、ＪＰＥＧ画像ファイルのみが記録された画像をＪＰＥＧ画像ファイルと記す。
【００３９】
図４（ａ）は、記録媒体２００からＪＰＥＧ画像を読み込んだ場合の表示例、図４（ｃ）は、記録媒体２００からＲＡＷ画像を読み込んだ場合の表示例、図４（ｅ）は、記録媒体２００からＲＡＷ＋ＪＰＥＧ画像を読み込んだ場合の表示例を示している。図４（ａ）では、ＪＰＥＧ画像に基づく画像４００と、表示中の画像がＪＰＥＧ画像であることを示すアイコン４０１とを表示部２８に表示している。また、記録媒体２００中に記録されている画像の数と、現在表示中の画像が何番目の画像であるかを示す画像数情報表示４０２も表示部２８に表示している。図４（ａ）の画像数情報表示４０２では、記録媒体２００に１００枚の画像が記録されており、現在５０番目の画像を表示していることを示している。図４（ｃ）では、ＲＡＷ画像に基づく画像４３０と、表示中の画像がＲＡＷ画像であることを示すアイコン４３１とを表示部２８に表示している。図４（ｅ）では、ＲＡＷ＋ＪＰＥＧ画像に基づく画像４５０と、表示中の画像がＲＡＷ＋ＪＰＥＧ画像であることを示すアイコン４５１とを表示部２８に表示している。また、図４（ｃ）、図４（ｅ）でも、図４（ａ）の画像数情報表示４０２同様に、画像数情報表示４３２、４５２がそれぞれ表示される。アイコン４０１、アイコン４３１、アイコン４５１のいずれかを表示することで、ユーザは、現在表示中の画像が、ＪＰＥＧ画像、ＲＡＷ画像、ＲＡＷ＋ＪＰＥＧ画像のいずれであるかを把握することができる。
【００４０】
Ｓ５０２では、システム制御部５０は、消去指示を受付けるための消去ボタンが押下されたかどうかの判定を行う。消去ボタンが押下されて消去指示を受付けた場合はＳ５０３の初期フォーカス決定処理に進み、消去ボタンが押下されていない場合はＳ５０６へ進む。初期フォーカス選択処理が終わるとＳ５０４の消去メニュー表示処理に進み、Ｓ５０３で決定された初期フォーカスに基づいて消去メニューを表示するための消去メニュー表示処理（Ｓ５０４）を実行する。このように、消去ボタンが押下されたことに応じて表示中の画像と共に消去メニューを表示するが、表示される消去メニューにおいて初期フォーカスを表示させる項目は、初期フォーカス決定処理により決定する。Ｓ５０４の消去メニュー表示処理で消去メニューを表示したら、現在表示されている画像を消去対象の画像として画像消去処理（Ｓ５０５）に進む。初期フォーカス決定処理（Ｓ５０３）、消去メニュー表示処理（Ｓ５０４）、画像消去処理（Ｓ５０５）については後で詳細を述べる。画像消去処理が終了すると、Ｓ５１０に進む。
【００４１】
Ｓ５０６では、システム制御部５０は、画像送りボタンが押下されたかを判定する。具体的には操作部７０の左ボタン１４３、右ボタン１４４が押下されたかどうを判定する。画像送り用に割り当てたれたボタンが押下された場合はＳ５０７へ進み、画像送りボタンが押下されていない場合はＳ５０８へ進む。
【００４２】
Ｓ５０７では、システム制御部５０は、画像送り処理を行う。左ボタン１４３が押下された場合は、現在表示されている画像の前の画像を読み出し、右ボタン１４４が押下された場合は、現在表示されている画像の次の画像を読み出す。そして、読みだした画像に基づいて、Ｓ５０１と同様に表示を行う。たとえば前述した図４（ａ）の状態で右ボタン１４４が押された場合は、画像４００の次の画像（合計１００枚あるうちの５１番目の画像）を表示する。そしてＳ５１０へ進む。Ｓ５０６、Ｓ５０７の画像送りにより、表示する画像を切り替えることが可能であり、ユーザは左ボタン１４３、右ボタン１４４への操作により処理対象となる画像を選択することができる。
【００４３】
Ｓ５０８では、システム制御部５０は、その他の処理を行うかどうか判定する。そして、Ｓ５０９では、システム制御部５０は、Ｓ５０８で判定した操作に応じたその他の処理を行う。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。本実施形態では、メニュー画面において、消去メニューを表示する際に初期フォーカスを表示させる項目をユーザが設定できる。消去メニューの初期フォーカス設定については後に詳細に説明する。その他処理を実行した後は、Ｓ５１０へ進む。
【００４４】
Ｓ５１０では、システム制御部５０は、再生モードを終了するかどうかの判定を行う。再生モードを終了すると判定された場合は再生モードを終了し、終了しないと判定された場合はＳ５０２へ戻り、再生モードが終了するまでＳ５０２〜Ｓ５１０の処理を繰り返す。
【００４５】
次に、消去メニューの初期フォーカス設定について説明する。
【００４６】
図６は、消去メニュー表示時に初期フォーカスをどの項目に表示させるかをユーザに設定させる初期フォーカス設定画面６００を示した図である。初期フォーカス設定画面６００は、メニュー画面の一部であり、メニュー画面で初期フォーカス設定を選択したことに応じて、初期フォーカス設定が表示部２８に表示される。この初期フォーカス設定画面６００では、６０１〜６０４のいずれか１つを選択して、消去メニューにおいて初期フォーカスを表示する項目を設定することができる。
【００４７】
“キャンセル”を選択６０１は、消去メニューを表示したときに初期フォーカスの表示位置が、画像の消去をキャンセルするための「キャンセル」の項目になるようにするための設定項目である。
【００４８】
“消去／ＲＡＷ＋ＪＰＥＧ消去”を選択６０２は、消去メニューを表示したときに初期フォーカスの表示位置が、「消去」または「ＲＡＷ＋ＪＰＥＧ消去」の項目になるようにするための設定項目である。消去対象の画像がＲＡＷ＋ＪＰＥＧ画像の場合はＲＡＷ画像ファイルとＪＰＥＧ画像ファイルの両方を消去するための「ＲＡＷ＋ＪＰＥＧ消去」の項目が初期フォーカスされる。そして、消去対象の画像がＲＡＷ＋ＪＰＥＧ画像ではない画像の場合は「消去」の項目が初期フォーカスされることになる。つまり、６０２は、消去対象として選択された画像に関する全ての形式の画像ファイルを消去するための項目を初期フォーカス表示するための設定項目である。
【００４９】
“ＲＡＷ消去”を選択６０３は、消去メニューを表示したときに初期フォーカスの表示位置が、ＲＡＷ画像ファイルのみを消去するための「ＲＡＷ消去」の項目になるようにするための設定項目である。
【００５０】
６０４は、消去メニューを表示したときに初期フォーカスの表示位置が、ＪＰＥＧ画像のみを消去するための「ＪＰＥＧ消去」の項目になるようにするための設定項目である。
【００５１】
また、６２０は初期フォーカス設定画面６００におけるフォーカスを示しており、６０１〜６０４のうちどの項目を選択しているのかを示すためのものである。システム制御部５０は、初期フォーカス設定画面６００を表示中に、ユーザによる上ボタン１４１、下ボタン１４２への操作を検知し、上ボタン１４１、下ボタン１４２への操作に応じて、フォーカス６２０を６０１〜６０４に移動させる。また、システム制御部５０は、初期フォーカス設定画面６００を表示中にＳＥＴボタン１４５が押下されたことを検知すると、６０１〜６０４のうち現在フォーカス６２０が表示されている設定項目を、消去メニューの初期フォーカス設定として確定する。そして、確定された設定項目の情報を、消去メニューの初期フォーカス設定として、不揮発性メモリ５６に記憶する。
【００５２】
このようにして、メニュー画面内の初期フォーカス設定画面６００では、消去メニューを表示する際に初期選択されてフォーカスが表示される項目を設定することができる。
【００５３】
次に、初期フォーカス決定処理（Ｓ５０３）、消去メニュー表示処理（Ｓ５０４）について詳細に説明するが、まず、消去メニュー表示処理（Ｓ５０４）から説明する。
【００５４】
図８は消去メニュー表示処理の詳細を示したフローチャートである。このフローチャートにおける各処理は、システム制御部５０が不揮発性メモリ５６に格納されたプログラムをメモリ３２に展開して実行することにより実現される。
【００５５】
Ｓ８０１では、システム制御部５０は、表示部２８に表示されている画像が、ＲＡＷ＋ＪＰＥＧ画像であるかを判定する。表示部２８にＲＡＷ＋ＪＰＥＧ画像が表示されている場合はＳ８０２へ進み、それ以外の画像、つまり、ＪＰＥＧ画像、ＲＡＷ画像、動画等が表示されている場合はＳ８０３へ進む。
【００５６】
Ｓ８０２では、システム制御部５０は、図４（ｆ）のような消去メニュー４６０を表示する。図４（ｆ）は、図４（ｅ）の表示を行っているときに消去ボタンが押された場合の表示部２８の画面の表示例を示している。表示されている画像、つまり、消去対象の画像が、ＲＡＷ＋ＪＰＥＧ画像の場合は、図４（ｆ）のような、４つの項目（４６１〜４６４）を含む消去メニュー４６０を表示する。消去メニュー４６０には、画像の消去をキャンセルするための「キャンセル」４６１、ＲＡＷ画像ファイルとＪＰＥＧ画像ファイルの両方を消去するための「ＲＡＷ＋ＪＰＥＧ消去」４６２、ＲＡＷ画像ファイルのみを消去するための「ＲＡＷ消去」４６３、ＪＰＥＧ画像ファイルのみを消去するための「ＪＰＥＧ消去」４６４の４つの項目が表示される。
【００５７】
Ｓ８０３では、システム制御部５０は、図４（ｂ）、図４（ｄ）のような消去メニュー４１０を表示する。図４（ｂ）は、図４（ａ）のＪＰＥＧ画像の表示を行っているときに消去ボタンが押された場合の表示部２８の画面の表示例を示している。また、図４（ｄ）は、図４（ｃ）のＲＡＷ画像の表示を行っているときに消去ボタンが押された場合の表示部２８の画面の表示例を示している。表示されている画像、つまり、消去対象の画像が、ＲＡＷ＋ＪＰＥＧ画像でない場合は、図４（ｂ）、図４（ｄ）のような、２つの項目（４１１、４１２）を含む消去メニュー４１０を表示する。消去メニュー４１０には、画像の消去をキャンセルするための「キャンセル」４１１、選択された画像を消去するための「消去」４１２の２つの項目が表示される。
【００５８】
Ｓ８０４では、システム制御部５０は、表示した消去メニュー（４１０または４６０）に、現在選択中の項目を示すフォーカス４２０を表示する。ここでは、消去メニュー表示処理の前に実行された初期フォーカス決定処理で決定された項目に、フォーカス４２０を表示させる。このようにして、再生モードにおいて消去ボタンが押下されると、初期フォーカス決定処理（Ｓ５０３）で初期フォーカスに決定された項目が、フォーカス４２０が表示されて初期選択されている状態で、消去メニューが表示される。
【００５９】
なお、説明のため、消去メニューの表示（Ｓ８０２，Ｓ８０３）と、初期フォーカス表示（Ｓ８０４）の処理を分けたが、システム制御部５０は、これらの処理は同時に行い、消去メニューと初期フォーカスは同時に表示部２８に表示されるようにする。
【００６０】
次に、初期フォーカス決定処理について詳細に説明する。
【００６１】
図７は、本実施形態における初期フォーカス決定処理のフローを示したものである。このフローチャートにおける各処理は、システム制御部５０が不揮発性メモリ５６に格納されたプログラムをメモリ３２に展開して実行することにより実現される。
【００６２】
Ｓ７０１では、システム制御部５０は、表示部２８に表示されている画像がＲＡＷ＋ＪＰＥＧ画像であるかどうかを判定する。ＲＡＷ＋ＪＰＥＧ画像である場合はＳ７０２へ進み、ＲＡＷ＋ＪＰＥＧ画像ではない場合はＳ７０７へ進む。
【００６３】
Ｓ７０２では、システム制御部５０は、初期フォーカス設定画面６００で設定された消去メニューの初期フォーカス設定の情報を、不揮発性メモリ５６から読み出す。そして、読みだした情報に基づいて、初期フォーカス設定画面６００で設定された初期フォーカス設定が、“キャンセル”、“消去／ＲＡＷ＋ＪＰＥＧ消去”、“ＲＡＷ消去”、“ＪＰＥＧ消去”のいずれであったかを判定する。システム制御部５０は、Ｓ７０２で判定された初期フォーカス設定画面６００で設定された初期フォーカス設定に応じて、Ｓ７０３〜Ｓ７０６のいずれかの処理を実行する。
【００６４】
初期フォーカス設定画面６００で設定された初期フォーカス設定が“キャンセル”の場合は、システム制御部５０は、初期フォーカスする項目を「キャンセル」４６１に決定する（Ｓ７０３）。初期フォーカス設定画面６００で設定された初期フォーカス設定が“消去／ＲＡＷ＋ＪＰＥＧ消去”の場合は、システム制御部５０は、初期フォーカスする項目を「ＲＡＷ＋ＪＰＥＧ消去」４６２に決定する（Ｓ７０４）。初期フォーカス設定画面６００で設定された初期フォーカス設定が“ＲＡＷ消去”の場合は、システム制御部５０は、初期フォーカスする項目を「ＲＡＷ消去」４６３に決定する（Ｓ７０５）。初期フォーカス設定画面６００で設定された初期フォーカス設定が“ＪＰＥＧ消去”の場合は、システム制御部５０は、初期フォーカスする項目を「ＪＰＥＧ消去」４６４に決定する（Ｓ７０６）。
【００６５】
このように、ＲＡＷ＋ＪＰＥＧ画像が消去対象として選択されている場合は、初期フォーカス設定画面６００で設定された項目が、消去メニュー４６０において初期フォーカスが表示される項目として決定される。これば、消去メニュー４６０において表示される項目（４６１〜４６４）と、初期フォーカス設定画面６００で設定可能な設定項目（６０１〜６０４）が一対一で対応しているためである。
【００６６】
Ｓ７０７では、システム制御部５０は、表示部２８に表示されている画像がＪＰＥＧ画像であるかどうかを判定する。ＪＰＥＧ画像である場合はＳ７０８へ進み、ＪＰＥＧ画像ではない場合はＳ７１３へ進む。
【００６７】
Ｓ７０８では、Ｓ７０２と同様に、システム制御部５０は、初期フォーカス設定画面６００で設定された消去メニューの初期フォーカス設定を判定し、判定結果に応じてＳ７０９〜Ｓ７１２の処理を行う。ＪＰＥＧ画像の場合、消去メニュー４１０で表示される項目（４１１、４１２）の数と、初期フォーカス設定画面６００で設定可能な設定項目（６０１〜６０４）とが一対一で対応していないため、消去メニュー４１０では以下のように初期フォーカスを決定する。
【００６８】
初期フォーカス設定画面６００で設定された初期フォーカス設定が“キャンセル”の場合は、システム制御部５０は、初期フォーカスする項目を「キャンセル」４１１に決定する（Ｓ７０９）。初期フォーカス設定画面６００で設定された初期フォーカス設定が“消去／ＲＡＷ＋ＪＰＥＧ消去”の場合は、システム制御部５０は、初期フォーカスする項目を「消去」４１２に決定する（Ｓ７１０）。
【００６９】
初期フォーカス設定画面６００で設定された初期フォーカス設定が“ＲＡＷ消去”の場合は、システム制御部５０は、初期フォーカスする項目を「キャンセル」４１１に決定する（Ｓ７１１）。これは、初期フォーカス設定として“ＲＡＷ消去”が設定されていても、消去対象がＪＰＥＧ画像であるため、ＲＡＷ画像は記録されておらず、ＲＡＷ画像を消去することはできないので、初期フォーカスする項目を「キャンセル」４１１に決定している。
【００７０】
初期フォーカス設定画面６００で設定された初期フォーカス設定が“ＪＰＥＧ消去”の場合は、システム制御部５０は、初期フォーカスする項目を「キャンセル」４１１に決定する（Ｓ７１２）。消去対象がＪＰＥＧ画像であり、初期フォーカス設定として“ＪＰＥＧ消去”が設定されている場合は、ＪＰＥＧ画像を消去するために、消去４１２を初期フォーカスとして設定することも可能である。しかし、初期フォーカス設定画面６００で初期フォーカス設定を選択する際には、ＲＡＷ＋ＪＰＥＧ画像における画像の消去を前提としている。そして、ＲＡＷ＋ＪＰＥＧ画像においてＪＰＥＧ画像ファイルの消去を行ったとしても、ＲＡＷ画像ファイルは消去されず、消去対象の画像の画像ファイル自体は残ることになる。それに対し、ＪＰＥＧ画像において、ＪＰＥＧ画像ファイルを消去してしまうと、消去対象の画像に対応する画像ファイルが１つも残らなくなってしまう。消去対象の画像に対応する画像ファイルのうち少なくとも１つは残ることを前提として初期フォーカス設定に“ＪＰＥＧ消去”を設定した場合には、ＪＰＥＧ画像の場合に「消去」４１２が初期フォーカスされていると、誤って画像を消去してしまう可能性がある。そこで、ＪＰＥＧ画像が消去対象として選択されている場合に、“ＪＰＥＧ消去”が初期フォーカス設定として設定されていても、ＪＰＥＧ画像ファイルを消去するための「消去」４１２を初期フォーカスせずに、「キャンセル」４１１を初期フォーカスする。
【００７１】
Ｓ７１３では、システム制御部５０は、表示部２８に表示されている画像がＲＡＷ画像であるかどうかを判定する。ＲＡＷ画像である場合はＳ７１４へ進み、ＲＡＷ画像ではない場合はＳ７１９へ進む。
【００７２】
Ｓ７１４では、Ｓ７０２、Ｓ７０８と同様に、システム制御部５０は、初期フォーカス設定画面６００で設定された消去メニューの初期フォーカス設定を判定する。
【００７３】
初期フォーカス設定画面６００で設定された初期フォーカス設定が“キャンセル”の場合は、システム制御部５０は、初期フォーカスする項目を「キャンセル」４１１に決定する（Ｓ７１５）。初期フォーカス設定画面６００で設定された初期フォーカス設定が“消去／ＲＡＷ＋ＪＰＥＧ消去”の場合は、システム制御部５０は、初期フォーカスする項目を「消去」４１２に決定する（Ｓ７１６）。
【００７４】
初期フォーカス設定画面６００で設定された初期フォーカス設定が“ＲＡＷ消去”の場合は、システム制御部５０は、初期フォーカスする項目を「キャンセル」４１１に決定する（Ｓ７１７）。このように、消去対象がＲＡＷ画像であり、初期フォーカス設定として“ＲＡＷ消去”が設定されている場合は、ＲＡＷ画像を消去するために、「消去」４１２を初期フォーカスとして設定することも可能である。しかし、初期フォーカス設定画面６００で初期フォーカス設定を選択する際には、ＲＡＷ＋ＪＰＥＧ画像における画像の消去を前提としている。そして、ＲＡＷ＋ＪＰＥＧ画像においてＲＡＷ画像ファイルの消去を行ったとしても、ＪＰＥＧ画像ファイルは消去されず、消去対象の画像に関する画像ファイルは残ることになる。それに対し、ＲＡＷ画像において、ＲＡＷ画像ファイルを消去してしまうと、消去対象の画像に対応する画像ファイルが１つも残らなくなってしまう。そのため、消去対象の画像に対応する画像ファイルのうち少なくとも１つは残ることを前提として“ＲＡＷ消去”を初期フォーカス設定した場合には、ＲＡＷ画像の場合に「消去」４１２が初期フォーカスされていると、誤って画像を消去してしまう可能性がある。そこで、本実施形態では、ＲＡＷ画像が消去対象として選択されている場合に、“ＲＡＷ消去”が初期フォーカス設定として設定されていても、ＲＡＷ画像を消去するための「消去」４１２を初期フォーカスせずに、「キャンセル」４１１を初期フォーカスする。
【００７５】
初期フォーカス設定画面６００で設定された初期フォーカス設定が“ＪＰＥＧ消去”の場合は、システム制御部５０は、初期フォーカスする項目を「キャンセル」４１１に決定する（Ｓ７１８）。これは、初期フォーカス設定として“ＪＰＥＧ消去”が設定されていても、消去対象がＲＡＷ画像であるため、ＪＰＥＧ画像ファイルは記録されておらず、ＪＰＥＧ画像を消去することはできないので、初期フォーカスする項目を「キャンセル」４１１に決定している。
【００７６】
Ｓ７１９では、この場合は、表示部２８に表示されている画像が、ＲＡＷ＋ＪＰＥＧ画像、ＪＰＥＧ画像、ＲＡＷ画像のいずれでもない他の形式の画像が記録された画像ファイル、例えば、動画ファイル等である。ＲＡＷ、ＪＰＥＧ以外の画像の圧縮形式、ファイル形式は多数あるため、これ以上の画像の形式の判定は行わない。そして、Ｓ７１４では、Ｓ７０２、Ｓ７０８、Ｓ７１４と同様に、システム制御部５０は、初期フォーカス設定画面６００で設定された消去メニューの初期フォーカス設定を判定し、判定結果に応じてＳ７２０〜Ｓ７２３の処理を行う。
【００７７】
初期フォーカス設定画面６００で設定された初期フォーカス設定が“キャンセル”の場合は、システム制御部５０は、初期フォーカスする項目を「キャンセル」４１１に決定する（７２０）。初期フォーカス設定画面６００で設定された初期フォーカス設定が“消去／ＲＡＷ＋ＪＰＥＧ消去”の場合は、システム制御部５０は、初期フォーカスする項目を「消去」４１２に決定する（Ｓ７２１）。
【００７８】
初期フォーカス設定画面６００で設定された初期フォーカス設定が“ＲＡＷ消去”の場合はシステム制御部５０は、初期フォーカスする項目を「キャンセル」４１１に決定する（Ｓ７２２）。また、初期フォーカス設定画面６００で設定された初期フォーカス設定が“ＪＰＥＧ消去”の場合、システム制御部５０は、初期フォーカスする項目を「キャンセル」４１１に決定する（Ｓ７２３）。消去対象の画像が、ＲＡＷ＋ＪＰＥＧ画像、ＪＰＥＧ画像、ＲＡＷ画像のいずれでもない場合は、多くの圧縮形式の画像、ファイル形式の画像が考えられる。そのため、“消去／ＲＡＷ＋ＪＰＥＧ消去”が選択されているときのみ「消去」４１２に決定し、それ以外は全て「キャンセル」４１１に決定する。
【００７９】
このような初期フォーカス決定処理により決定された初期フォーカスの項目に基づいて、図８の消去メニュー表示処理が実行される。
【００８０】
次に、消去メニュー（４１０、４６０）が表示された後の、画像消去処理（Ｓ５０５）について詳細に説明する。
【００８１】
図９は画像消去処理の詳細を示したフローチャートである。このフローチャートにおける各処理は、システム制御部５０が不揮発性メモリ５６に格納されたプログラムをメモリ３２に展開して実行することにより実現される。
【００８２】
消去メニュー（４１０、４６０）が表示されている状態で、ステップＳ９０１において、システム制御部５０は、上ボタン１４１、下ボタン１４２、左ボタン１４３、右ボタン１４４への操作によりフォーカス移動の操作があったかを判定する。フォーカス移動の操作があった場合には、Ｓ９０２において、表示中の消去メニュー（４１０、４６０）のフォーカス４２０を、Ｓ９０１で操作されたボタンに対応する方向に移動して表示する。
【００８３】
次に、Ｓ９０３では、システム制御部５０は、ＳＥＴボタン１４５が操作され、消去メニューの項目の選択を確定するための決定操作が行われたかを判定する。決定操作が行われたと判定した場合は、Ｓ９０４に進み、そうでない場合は、Ｓ９０１に戻り、決定操作が行われるまでＳ９０１〜Ｓ９０３の処理を繰り返す。
【００８４】
Ｓ９０４では、システム制御部５０は、消去メニューにおいて選択（決定）された項目が、「消去」４１２または「ＲＡＷ＋ＪＰＥＧ消去」４６２であるかを判定する。「消去」４１２または「ＲＡＷ＋ＪＰＥＧ消去」４６２であると判定された場合、Ｓ９０５において、システム制御部５０は、現在表示中の画像に対応する画像ファイルを、記録媒体２００から消去する。その後、Ｓ９１０に進む。つまり、消去対象がＲＡＷ＋ＪＰＥＧ画像であり「ＲＡＷ＋ＪＰＥＧ消去」４６２が選択された場合は、ＲＡＷ画像ファイルとＪＰＥＧ画像ファイルの両方を記録媒体２００から消去する。消去対象がＲＡＷ＋ＪＰＥＧ画像ではない画像（ＲＡＷ画像、ＪＰＥＧ画像、動画等）の場合は、現在表示中の画像の画像ファイルを消去する。そして、その画像ファイルに対応する他の形式の画像ファイルがある場合は、その画像ファイルも消去するようにして、全ての形式の画像ファイルを消去するようにしてもよい。
【００８５】
Ｓ９０６では、システム制御部５０は、消去メニューにおいて選択（決定）された項目が、「ＲＡＷ消去」４６３であるかを判定する。「ＲＡＷ消去」４６３であるかであると判定された場合、Ｓ９０７において、システム制御部５０は、現在表示中のＲＡＷ＋ＪＰＥＧ画像に対応するＲＡＷ画像ファイルを記録媒体２００から消去する。この場合、ＲＡＷ＋ＪＰＥＧ画像のＲＡＷ画像ファイルのみを消去し、ＪＰＥＧ画像ファイルは消去せずに残す。また、ＲＡＷ＋ＪＰＥＧ画像であることを示す管理情報も消去して、ＪＰＥＧ画像ファイルのみが記録されたＪＰＥＧ画像として扱われるように書き換える。その後、Ｓ９１１に進む。
【００８６】
Ｓ９０８では、システム制御部５０は、消去メニューにおいて選択（決定）された項目が、「ＪＰＥＧ消去」４６４であるかを判定する。「ＪＰＥＧ消去」４６４であると判定された場合、Ｓ９０９において、システム制御部５０は、現在表示中のＲＡＷ＋ＪＰＥＧ画像に対応するＪＰＥＧ画像ファイルを記録媒体２００から消去する。この場合ＲＡＷ＋ＪＰＥＧ画像のＪＰＥＧ画像ファイルのみを消去し、ＲＡＷ画像ファイルは消去せずに残す。また、ＲＡＷ＋ＪＰＥＧ画像であることを示す管理情報も消去して、ＲＡＷ画像ファイルのみが記録されたＲＡＷ画像として扱われるように書き換える。その後、Ｓ９１１に進む。
【００８７】
消去メニューにおいて選択（決定）された項目が、「消去」４１２または「ＲＡＷ＋ＪＰＥＧ消去」４６２、「ＲＡＷ消去」４６３、「ＪＰＥＧ消去」４６４のいずれでもない場合、つまり、「キャンセル」４１１または「キャンセル」４６１の場合、画像の消去は行わずに、Ｓ９１１に進む。
【００８８】
Ｓ９０５で画像ファイルを消去した場合は、Ｓ９１０で、システム制御部５０は、消去した画像の次の画像を記録媒体２００から読み出し、読みだした画像の画像を表示部２８に表示してＳ９１１に進む。この表示の処理については、Ｓ５０１と同様の処理を行う。
【００８９】
Ｓ９１１では、システム制御部５０は、表示していた消去メニュー（４１０または４６０）を非表示にする。そして、画像消去処理を終了する。
【００９０】
なお、本実施形態では、ＲＡＷ画像とＪＰＥＧ画像が同時記録されたＲＡＷ＋ＪＰＥＧ画像について述べたが、例えば、ＲＡＷ画像やＪＰＥＧ画像ではなく他の圧縮形式、記録形式、ファイル形式の画像であってもよい。また、本実施形態では、ＲＡＷ＋ＪＰＥＧ画像について、ＲＡＷ画像とＪＰＥＧ画像が、それぞれ異なる画像ファイルとして記録されるものとした。しかし、例えば、ＨＥＩＦファイル等を用いて、１つの画像ファイル内にＲＡＷ画像とＪＰＥＧ画像を記録するようにしてもよい。この場合、ＲＡＷ＋ＪＰＥＧ消去が選択された場合は画像ファイル全体を消去する。そして、ＲＡＷ消去またはＪＰＥＧ消去が選択された場合は、画像ファイル内の対応する画像のみを消去するようにする。
【００９１】
以上説明したように、本発明によれば、複数の形式（ファイル形式、圧縮形式、記録形式など）で記録されている画像を消去する場合に、初期フォーカスの設定により、素早く目的の形式の画像を消去できる。そしてさらに、単一の形式で記録されている画像において誤って画像を消去してしまうことを防ぐことが可能となる。
【００９２】
〔その他の実施形態〕
なお、上述した実施の形態の処理は、各機能を具現化したソフトウェアのプログラムコードを記録した記憶媒体をシステム或いは装置に提供してもよい。そして、装置のコンピュータが行うものとして説明した上述の各種制御、各ブロックにおける処理は１つのハードウェアが行ってもよいし、複数のハードウェア（例えば、複数のプロセッサーや回路）が処理を分担することで、装置全体の制御を行ってもよい。
【００９３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９４】
また、上述した実施形態においては、本発明をデジタルカメラに適用した場合を例にして説明したが、これはこの例に限定されず複数の画像を表示できる表示制御装置でかつタッチ入力可能な表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００９５】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2019208182.tif 000003
【図２】
2019208182.tif 000004
【図３】
2019208182.tif 000005
【図４】
2019208182.tif 000006
【図５】
2019208182.tif 000007
【図６】
2019208182.tif 000008
【図７】
2019208182.tif 000009
【図８】
2019208182.tif 000010
【図９】
2019208182.tif 000011